(57)【要約】【課題】フローティング手段と位置決め手段を一体化することにより、構造の簡素化とコストの低減を図った電子機器等のコネクタ装置を提供する。【解決手段】フローティングプレート５ａに設けられた位置決めピン６及びシェルフ１またはユニット２に設けられ、かつ位置決めピン６が嵌挿自在な位置決め孔２ｂとからなる位置決め手段と、コネクタ３，４の一方に設けられたガイドピン４ａ及びコネクタ３，４の他方に設けられ、かつガイドピン４ａが嵌挿自在な呼び込み孔３ａとからなるガイド手段とから構成したもので、フローティング手段５と位置決め手段を一体化したことにより、構造の簡素化と部品点数の低減が図れるため、製作及び組み立ての容易化と、これに伴うコストの削減が図れるようになる。【選択図】　図１
2004055285.tif 000002
【特許請求の範囲】
【請求項１】
シェルフに設けられたコネクタと、前記シェルフに対して実装自在なユニットに設けられたコネクタの一方を、前記シェルフまたはユニットに遊動自在に支持されたフローティングプレートに取り付けることにより、前記シェルフ側のコネクタと前記ユニット側のコネクタとをプラグイン方式で嵌合できるようにした電子機器等のコネクタ装置であって、前記フローティングプレートに設けられた位置決めピン及び前記シェルフまたはユニットに設けられ、かつ前記位置決めピンが嵌挿自在な位置決め孔とからなる位置決め手段と、前記コネクタの一方に設けられたガイドピン及び前記コネクタの他方に設けられ、かつ前記ガイドピンが嵌挿自在な呼び込み孔とからなるガイド手段とを具備することを特徴とする電子機器等のコネクタ装置。
【請求項２】
前記位置決めピンの先端側に、先端にテーパ部を有する大径部を形成すると共に、前記位置決めピンが嵌挿自在な前記位置決め孔の内径を、前記大径部の外径よりやや大径に形成してなる請求項１に記載の電子機器等のコネクタ装置。
【請求項３】
前記位置決め孔の奥側に、前記位置決めピンの大径部先端に形成されたテーパ部と逆の方向に傾斜するテーパ部を形成してなる請求項２に記載の電子機器等のコネクタ装置。
【請求項４】
前記位置決めピンの先端側に形成された大径部と前記位置決めピンの段差部に、前記大径部先端に形成されたテーパ部と逆の方向に傾斜するテーパ部を形成してなる請求項２に記載の電子機器等のコネクタ装置。
【請求項５】
前記ユニット側に前記フローティングプレートを設けると共に、前記シェルフ側に、前記フローティングプレートに設けられた位置決めピンが嵌挿される位置決め孔を設けてなる請求項１ないし４の何れかに記載の電子機器等のコネクタ装置。
【発明の詳細な説明】
【０００１】
【発明の属する技術分野】
本発明はフローティング構造を採用し、かつプラグイン方式によりコネクタ同士を嵌合する電子機器等のコネクタ装置に関するものである。
【０００２】
【従来の技術】
従来この種のコネクタ装置として、例えば特開平１１−１６２５６０号公報に記載されたものが公知である。
【０００３】
前記公報のコネクタ装置は、図１３ないし図１５に示すようにユニットａを実装するシェルフｂにフローティングプレートｃがフローティングねじｄにより遊動自在に支持されていて、このフローティングプレートｃ上にシェルフｂ側のコネクタｅがフローティングねじｆにより遊動自在に取り付けられている。
【０００４】
またフローティングプレートｃには一対のガイドピンｇが突設されていて、これらガイドピンｇの先端をユニットａ側に形成された嵌合孔ｈに嵌合することにより、ユニットａ側のコネクタｉをシェルフｂ側のコネクタｅへガイドするようになっており、これによってユニットａ及びシェルフｂを構成する各部品の寸法精度を必要以上に高くすることなく、コネクタ装置のプラグイン構造を実現すると同時に、ユニットａ及びシェルフｂの位置調節を行うことなく、ユニットａ側コネクタｉとシェルフｂ側コネクタｅとを確実に嵌合できるように構成されている。
【０００５】
【発明が解決しようとする課題】
しかし前記公報のコネクタ装置においては、フローティングプレートｃを遊動自在に支持するフローティングねじｄと、コネクタｅをフローティングプレートｃに遊動自在に取り付けているフローティングねじｆの２種類のフローティングねじを使用しているため構造が複雑な上、部品点数が多いことから、ガイドピンｇをユニットａ側の嵌合孔ｈに確実に嵌合させるためには、各部品を精度よく製作したり、組み立てなければならず、部品の製作や組み立てに多くの工数を必要として、コストが高くなる等の問題がある。
【０００６】
本発明はかかる従来の問題を解決するためになされたもので、フローティング手段と位置決め手段を一体化することにより、構造の簡素化とコストの低減を図った電子機器等のコネクタ装置を提供することを目的とするものである。
【０００７】
【課題を解決するための手段】
前記目的を達成するため本発明の電子機器等のコネクタ装置は、シェルフに設けられたコネクタと、シェルフに対して実装自在なユニットに設けられたコネクタの一方を、シェルフまたはユニットに遊動自在に支持されたフローティングプレートに取り付けることにより、シェルフ側のコネクタとユニット側のコネクタとをプラグイン方式で嵌合できるようにした電子機器等のコネクタ装置あって、フローティングプレートに設けられた位置決めピン及びシェルフまたはユニットに設けられ、かつ位置決めピンが嵌挿自在な位置決め孔とからなる位置決め手段と、コネクタの一方に設けられたガイドピン及びコネクタの他方に設けられ、かつガイドピンが嵌挿自在な呼び込み孔とからなるガイド手段とから構成したものである。
【０００８】
前記構成により、フローティングプレートに設けられた位置決めピンを、シェルフまたはユニットに設けられた位置決め孔に嵌挿することにより、シェルフに対してユニットが位置決めされると同時に、シェルフまたはユニットに対してフローティングプレートが位置決めされ、また各コネクタに設けられた呼び込み孔とガイドピンが互に嵌合することによりコネクタ同士が位置決めされるため、シェルフにユニットを実装した際プラグイン方式でシェルフのコネクタにユニットのコネクタを確実に嵌合することができるようになる。
【０００９】
またシェルフ及びユニットの製作寸法公差や、フローティングプレート、位置決めピン等の組み立て寸法公差及びその累積公差が吸収されるため、各部品の製作精度や組み立て精度を必要以上に高くする必要がない上、フローティング手段と位置決め手段を一体化することにより、構造の簡素化と部品点数の低減が図れるため、製作及び組み立ての容易化と、これに伴うコストの削減が図れるようになる。
【００１０】
前記目的を達成するため本発明の電子機器等のコネクタ装置は、位置決めピンの先端側に、先端にテーパ部を有する大径部を形成すると共に、位置決めピンが嵌挿自在な位置決め孔の内径を、大径部の外径よりやや大径に形成したものでる。
【００１１】
前記構成により、位置決めピンの大径部を位置決め孔に嵌挿して、シェルフとユニットの位置決めをした後さらにユニットを押し込むと、位置決めピンと位置決め孔の間に大きな遊びが生じてフローティングプレートに設けられたコネクタのフローティング量が増加するため、さらに大きな寸法公差も吸収できるようになる。
【００１２】
前記目的を達成するため本発明の電子機器等のコネクタ装置は、位置決め孔の奥側に、位置決めピンの大径部に形成されたテーパ部と逆の方向に傾斜するテーパ部を形成したものである。
【００１３】
前記構成により、シェルフよりユニットを引き出す際、位置決めピンの大径部が位置決め孔に引っ掛ることがないため、シェルフよりユニットをスムーズに取り外すことができる。
【００１４】
前記目的を達成するため本発明の電子機器等のコネクタ装置は、位置決めピンの先端側に形成された大径部と位置決めピンの段差部に、大径部に形成されたテーパ部と逆の方向に傾斜するテーパ部を形成したものである。
【００１５】
前記構成により、シェルフよりユニットを引き出す際、位置決めピンの大径部が位置決め孔に引っ掛ることがないため、シェルフよりユニットをスムーズに取り外すことができる。
【００１６】
前記目的を達成するため本発明の電子機器等のコネクタ装置は、ユニット側にフローティングプレートを設けると共に、シェルフ側に、フローティングプレートに設けられた位置決めピンが嵌挿される位置決め孔を設けたものである。
【００１７】
前記構成により、シェルフ側にフローティングプレートを設けるスペースがなかったり、ユニット側に位置決めピンが挿入できるスペースがない場合でも、フローティング手段や位置決め手段を設けることができるようになる。
【００１８】
【発明の実施の形態】
本発明の実施の形態を、図面を参照して詳述する。
【００１９】
図１は電子機器を構成するシェルフよりユニットを取り外した状態の分解斜視図、図２はシェルフ側に設けられたコネクタの正面図、図３は図２のＡ−Ａ線に沿う断面図である。
【００２０】
電子機器の筐体を構成するシェルフ１には、互に対向する位置にチャンネル状のレール受け１ａが水平方向に形成されていて、これらレール受け１ａに、ユニット２の両側に突設されたガイドレール２ａを嵌合することにより、ユニット２側のコネクタ４を、シェルフ１側のコネクタ３へガイドするようになっている。
【００２１】
シェルフ１側に設けられたコネクタ３は、フローティング手段５によりフローティング状態に支持されている。
【００２２】
フローティング手段５は、シェルフ１の側板１ｂ後方にフローティングプレート５ａが設けられていて、このフローティングプレート５ａにシェルフ１側のコネクタ３が段付きねじ８によりフローティング状態で取り付けられている。
【００２３】
シェルフ１の側板１ｂには、コネクタ３の外形よりやや大きい角形の開口部１ｃが開口されていて、この開口部１ｃよりコネクタ３の嵌合側端部がシェルフ１内に突出されており、開口部１ｃの斜め上方には一対の円孔１ｄが穿設されていて、これら円孔１ｄに位置決めピン６の基端側がそれぞれ遊嵌されている。
【００２４】
位置決めピン６の基端部にはねじ部６ａが形成されていて、このねじ部６ａをフローティングプレート５ａの上部に螺挿することにより、フローティングプレート５ａに各位置決めピン６が水平状態で取り付けられており、位置決めピン６の基端側には、フローティングプレート５ａの移動範囲を規制すると同時に、位置決めピン６が抜け出すのを防止するフランジ部６ｂが、そして先端にはテーパ部６ｃが形成されている。
【００２５】
シェルフ１側に設けられたコネクタ３の嵌合面には、開口部がテーパとなったピン孔よりなる呼び込み孔３ａが図３に示すように対角位置に形成されており、これら呼び込み孔３ａとユニット２側のコネクタ４に突設されたガイドピン４ａによりガイド手段が構成されている。
【００２６】
ユニット２側には、シェルフ１にユニット２を実装した際シェルフ１側のコネクタ３と合致する位置にコネクタ４が固着されており、このコネクタ４に一対のガイドピン４ａが突設されている。
【００２７】
これらガイドピン４ａは、先端がテーパ状に形成されていて、シェルフ１側のコネクタ３に設けられた呼び込み孔３ａに容易に嵌入できるようになっており、ガイドピン４ａを呼び込み孔３ａに嵌合することにより、フローティングプレート６ａの製作寸法公差やコネクタ３，４の取り付け寸法公差などを吸収して、シェルフ１側のコネクタ３にユニット２側のコネクタ４を確実に嵌合できるようになっている。
【００２８】
またユニット２に設けられたコネクタ４の斜め上方には、シェルフ１にユニット２を実装した際、フローティングプレート５ａに水平に取り付けられた位置決めピン６の先端が嵌入する一対の位置決め孔２ｂが穿設されている。
【００２９】
これら位置決め孔２ｂは、位置決めピン６の外径より僅かに大径となっていて、各位置決めピン６に嵌合することにより、シェルフ１に対しユニット２が位置決めされるようになっている。
【００３０】
次に前記構成されたコネクタ装置の作用を説明すると、シェルフ１にユニット２を実装すべく、ユニット２のコネクタ４をシェルフ１のコネクタ３と対向させた状態で、ユニット２の両側に突設されたガイドレール２ａをシェルフ１側のレール受け１ａに嵌合し、この状態でユニット２をシェルフ１内へ押し込む。
【００３１】
ユニット２がシェルフ１の側板１ｂ側へ近付くと、フローティングプレート５ａに支持された位置決めピン６の先端がユニット２の位置決め孔２ｂに嵌入するので、さらにユニット２を押し込むことにより、位置決めピン６により、シェルフ１のレール受け１ａとユニット２のガイドレール２ａ間に予め設けられた遊び代が吸収されると同時に、ユニット２に対してフローティングプレート５ａも位置決めされる。
【００３２】
その後さらにユニット２を押し込むと、ユニット２側のコネクタ４より突設されたガイドピン４ａがシェルフ１側のコネクタ３に形成された呼び込み孔３ａに嵌入して、すでにユニット２に対して位置決めされたフローティングプレート５ａに取り付けられているコネクタ３に対し、ユニット２側のコネクタ４が精度よく位置決めされる。
【００３３】
すなわちガイド手段のガイドピン４ａが呼び込み孔３ａに嵌入されることにより、フローティングプレート５ａの製作寸法公差や、位置決めピン６と位置決め孔２ｂの寸法公差、各コネクタ３，４の取り付け位置公差等の累積を全て吸収するため、シェルフ１側のコネクタ３にユニット２側のコネクタ４を確実に嵌合できるようになる。
【００３４】
またシェルフ１側のコネクタ３をフローティング状態に支持するフローティング手段５と、位置決めピン６よりなる位置決め手段が一体構造となっているため、構造の簡素化と部品点数の削減が可能になる。
【００３５】
なお図４ないし図１２はフローティング手段５及びガイド手段の変形例を示すもので、次にこれら変形例について説明する。
【００３６】
なお前記実施の形態と同一部分は同一符号を付して、その説明は省略する。
【００３７】
図４ないし図６に示す変形例では、位置決めピン６の先端に大径部６ｄを形成し、この大径部６ｄの先端にテーパ部６ｃを形成すると共に、位置決めピン６が嵌入するユニット２側の位置決め孔２ｂは、位置決めピン６の大径部６ｄに嵌入できるよう大径部６ｄの外径より僅かに大径になっていると共に、位置決め孔２ｂの奥側には、嵌入した大径部６ｄを抜き出す際、引っ掛らないよう開口縁側へ順次大径となるテーパ部２ｃが形成されている。
【００３８】
前記構成の変形例によれば、シェルフ１にユニット２を実装した際、位置決めピン６の大径部６ｄがユニット２側の位置決め孔２ｂに嵌入する際、ユニット２に対しフローティングプレート５ａが位置決めされると同時に、フローティングプレート５ａに取り付けられたコネクタ３の呼び込み孔３ａにユニット２側のコネクタ４のガイドピン４ａの先端が嵌入を開始する。
【００３９】
その後大径部６ｄが位置決め孔２ｂを通過すると、位置決めピン６と位置決め孔２ｂの間に大きな遊びが生じるが、コネクタ３の呼び込み孔３ａにコネクタ４のガイドピン４ａがすでに嵌挿されているため、両コネクタ３，４を確実に嵌合することができると共に、位置決めピン６と位置決め孔２ｂ間の遊びによりフローティングプレート５ａのフローティング量が増すため、さらに大きな累積公差も吸収できるようになる。
【００４０】
なおフローティングプレート５ａのフローティング量が増すことにより、段付きねじを使用せずに、ビス等の固着具で直接コネクタ３をフローティングプレート５ａに固定しても、コネクタ３のフローティング機能が損なわれることがないため、より構造を簡素化することができる。
【００４１】
図７ないし図１２に示す変形例では、シェルフ１に実装したユニット２を取り外す際、位置決めピン６の先端に形成された大径部６ｄがユニット２側の位置決め孔２ｂに引っ掛って抜けなくなるのを防止するため、位置決め孔２ｂ側にテーパ部２ｃを設けたが、この変形例では位置決めピン６と大径部６ｄの境界に形成された段部に、大径部６ｄの先端に形成されたテーパ部６ｃと傾斜が逆となるテーパ部６ｅを形成したものである。
【００４２】
これによってシェルフ１よりユニット２を取り外す際、位置決めピン６の大径部６ｄに形成されたテーパ部６ｅにより大径部６ｄがユニット２側の位置決め孔２ｂの開口縁に引っ掛かることがないため、シェルフ１よりユニット２を簡単に取り外すことができるようになる。
【００４３】
また前記変形例になるコネクタ装置の作用を図９ないし図１２を参照して説明する。
【００４４】
シェルフ１にユニット２を実装すべく、ユニット２両側のガイドレール２ａをシェルフ１のレール受け１ａに嵌挿してユニット２を押し込んだ状態を図９の（イ）及び（ロ）に示すが、このときシェルフ１側のコネクタ３の中心とユニット２側のコネクタ４の中心にずれαが生じているとする。
【００４５】
この状態でさらにユニット２を押し込むと、シェルフ１側のフローティングプレート５ａに支持された位置決めピン６の先端に形成された大径部６ｄがユニット２側の位置決め孔２ｂに図１０の（イ）及び（ロ）に示すように嵌入されることによりシェルフ１側のコネクタ３とユニット２側のコネクタ４の位置ずれαが吸収されると同時に、さらにユニット２を押し込むことにより、図１１の（イ）及び（ロ）に示すように、ユニット２側のコネクタ４より突設されたガイドピン４ａがシェルフ１側のコネクタ３の呼び込み孔３ａに嵌挿される。
【００４６】
この状態でさらにユニット２を押し込むことにより、呼び込み孔３ａに嵌合されたガイドピン４ａにより両コネクタ３，４の位置がさらに精度よく位置合せされるため、シェルフ１側のコネクタ３にユニット２側のコネクタ４を確実に嵌合することができるようになる。
【００４７】
またユニット２側に設けられたコネクタ４のガイドピン４ａがシェルフ１側に設けられたコネクタ３の呼び込み孔３ａに嵌挿された際、位置決めピン６と位置決め孔２ｂの間には図１２の（イ）及び（ロ）に示すように十分な遊びが生じるため、シェルフ１側のコネクタ３のフローティング量が増大し、これによってより大きな累積寸法公差が吸収できるようになる。
【００４８】
なお前記実施の形態及び変形例では、シェルフ１側にフローティングプレート５ａを設け、ユニット２側のコネクタ４をユニット２に固定するようにしたが、ユニット２側にフローティングプレート５ａを設けて、このフローティングプレート５ａにユニット２側のコネクタ４を取り付け、シェルフ１側のコネクタ３をシェルフ１に固定するようにしても勿論よい。
【００４９】
【発明の効果】
本発明は以上詳述したように、フローティングプレートに設けられた位置決めピン及びシェルフまたはユニットに設けられ、かつ位置決めピンが嵌挿自在な位置決め孔とからなる位置決め手段と、コネクタの一方に設けられたガイドピン及びコネクタの他方に設けられ、かつガイドピンが嵌挿自在な呼び込み孔とからなるガイド手段とから構成したことから、フローティングプレートに設けられた位置決めピンを、シェルフまたはユニットに設けられた位置決め孔に嵌挿することにより、シェルフに対してユニットが位置決めされると同時に、シェルフまたはユニットに対してフローティングプレートが位置決めされると共に、各コネクタに設けられた呼び込み孔とガイドピンが互に嵌合することによりコネクタ同士が位置決めされるため、シェルフにユニットを実装した際プラグイン方式でシェルフのコネクタにユニットのコネクタを確実に嵌合することができるようになる。
【００５０】
またシェルフ及びユニットの製作寸法公差や、フローティングプレート、位置決めピン等の組み立て寸法公差及びその累積公差が吸収されるため、各部品の製作精度や組み立て精度を必要以上に高くする必要がない上、フローティング手段と位置決め手段を一体化することにより、構造の簡素化と部品点数の低減が図れるため、製作及び組み立ての容易化と、これに伴うコストの削減が図れるようになる。
【図面の簡単な説明】
【図１】本発明の実施の形態になる電子機器等のコネクタ装置を示す分解斜視図。
【図２】本発明の実施の形態になる電子機器等のコネクタ装置示すシェルフ側の正面図。
【図３】図２のＡ−Ａ線に沿う断面図。
【図４】本発明の実施の形態になる電子機器等のコネクタ装置の変形例を示すシェルフ側の正面図。
【図５】図４のＢ−Ｂ線に沿う断面図。
【図６】（イ）及び（ロ）は本発明の実施の形態になる電子機器等のコネクタ装置の変形例を示す作用説明図。
【図７】本発明の実施の形態になる電子機器等のコネクタ装置の変形例を示すシェルフ側の正面図。
【図８】図７のＣ−Ｃ線に沿う断面図。
【図９】（イ）及び（ロ）は本発明の実施の形態になる電子機器等のコネクタ装置の変形例を示す作用説明図。
【図１０】（イ）及び（ロ）は本発明の実施の形態になる電子機器等のコネクタ装置の変形例を示す作用説明図。
【図１１】（イ）及び（ロ）は本発明の実施の形態になる電子機器等のコネクタ装置の変形例を示す作用説明図。
【図１２】（イ）及び（ロ）は本発明の実施の形態になる電子機器等のコネクタ装置の変形例を示す作用説明図。
【図１３】従来の電子機器等のコネクタ装置を示す斜視図。
【図１４】従来の電子機器等のコネクタ装置示すシェルフ側の正面図。
【図１５】図１４のＤ方向からの矢視図。
【符号の説明】
１　　　シェルフ
２　　　ユニット
２ｂ　　位置決め孔
２ｃ　　テーパ部
３　　　コネクタ
３ａ　　呼び込み孔
４　　　コネクタ
４ａ　　ガイドピン
５　　　フローティング手段
５ａ　　フローティングプレート
６　　　位置決めピン
６ｃ　　テーパ部
６ｄ　　大径部
６ｅ　　テーパ部
【図１】
2004055285.tif 000003
【図２】
2004055285.tif 000004
【図３】
2004055285.tif 000005
【図４】
2004055285.tif 000006
【図５】
2004055285.tif 000007
【図６】
2004055285.tif 000008
【図７】
2004055285.tif 000009
【図８】
2004055285.tif 000010
【図９】
2004055285.tif 000011
【図１０】
2004055285.tif 000012
【図１１】
2004055285.tif 000013
【図１２】
2004055285.tif 000014
【図１３】
2004055285.tif 000015
【図１４】
2004055285.tif 000016
【図１５】
2004055285.tif 000017